【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
各複数のノード（２０２−１から２０２−Ｎ）が、データを送信し受信するように適合された、複数のノード（２０２−１から２０２−Ｎ）と、
各ハブは前記複数のノード（２０２−１から２０２−Ｎ）との通信リンクを有し、いずれか１つのハブと前記複数のノード（２０２−１から２０２−Ｎ）との間の前記通信リンクが、前記マルチチャネルネットワーク（２００）の第１のチャネルを画定する、複数のハブ（２０４−１から２０４−Ｈ）と、
を含み、
各ノードは、前記複数のハブ（２０４−１から２０４−Ｈ）を介して前記複数のノード（２０２−１から２０２−Ｎ）のすべての他のノードと通信するように適合され、
各ガーディアンが前記複数のハブ（２０４−１から２０４−Ｈ）の１つに関連する、複数のガーディアン（２０３−１から２０３−Ｈ）を含み、
各ノードは、タイムスロット中に送信するように適合され、
前記マルチチャネルネットワーク（２００）の各チャネルに、各ノードが、一意の優先順位ランクを割り当てられ、
前記マルチチャネルネットワーク（２００）のチャネルごとに、各前記複数のノード（２０２−１から２０２−Ｎ）の前記一意の優先順位ランクが、異なる方向であり、
前記複数のガーディアン（２０３−１から２０３−Ｈ）のうちの第１のガーディアンが、最高の割り当てられた優先順位ランクを有する勝つノードだけがチャネルを介して送信することを許可することによって、前記複数のノード（２０２−１から２０２−Ｎ）のうちのどれが関連するタイムスロット中にデータを送信することを許可されるかを決定し、
前記第１のガーディアンは、前記複数のノード（２０２−１から２０２−Ｎ）の第１のノードからの第１のプリアンブル信号（３２５）の受信を観察するように適合され、
前記第１のガーディアンは、事前定義の時間間隔内に前記複数のノード（２０２−１から２０２−Ｎ）のうちの第２のノードからの第２のプリアンブル信号（３２６）の受信を観察するとき、前記第１のガーディアンが、前記第１のノードまたは前記第２のノードの１つだけが関連するチャネルを介して送信することを許可し、前記第１のガーディアンは、前記第１のノードが前記第２のノードより高い優先順位ランクを有する場合に前記第１のノードが送信することを許可し、前記第１のガーディアンは、前記第２のノードが前記第１のノードより高い優先順位ランクを有する場合に前記第２のノードが送信することを許可し、
前記第１のガーディアンは、前記事前定義の時間間隔内に第２のプリアンブル信号（３２６）の受信を観察しない時に、前記第１のガーディアンは、前記第１のノードが関連するチャネルを介して送信することを許可する、
優先順位ベースのアービトレーションを有するネットワーク（２００）。
【請求項２】
前記複数のノード（２０２−１から２０２−Ｎ）のノードおよび前記複数のガーディアン（２０３−１から２０３−Ｈ）は、ポート駆動認証を実装するように適合され、
前記複数のノード（２０２−１から２０２−Ｎ）のノードは、別個のチャネルで異なるデータを受信するとき、前記複数のノード（２０２−１から２０２−Ｎ）の前記ノードが、許可ノードからのデータだけを受け入れ、
前記許可ノードは、前記複数のノード（２０２−１から２０２−Ｎ）のうちで、プロトコルによって前記タイムスロット中に送信を許可されたノードである、請求項１に記載のネットワーク。
【請求項３】
ひとつのチャネルに結合された各複数のノード（２０２−１から２０２−Ｎ）に一意の優先順位ランクを割り当てるステップと、
タイムスロット（３５５）中に送信する前記複数のノード（２０２−１から２０２−Ｎ）の第１のノードの意図を示す第１のプリアンブル信号（３２５）の受信を観察するステップと、
前記第１のプリアンブル信号（３２５）の前記受信の観察から事前定義の時間間隔以内の、前記タイムスロット（３５５）中に送信する前記複数のノード（２０２−１から２０２−Ｎ）の第２のノードの意図を示す第２のプリアンブル信号（３２６）の受信を観察するステップと、
前記第１のノードが前記第２のノードより高い優先順位ランクを有するとき、前記タイムスロット（３５５）中に前記第１のノードだけが前記ひとつのチャネルを介して送信することを許可するステップと、
前記第２のノードが前記第１のノードより高い優先順位ランクを有するとき、前記タイムスロット（３５５）中に前記第２のノードだけが前記ひとつのチャネルを介して送信することを許可するステップと、
を含み、前記マルチチャネルネットワーク（２００）のチャネルごとに、前記一意の優先順位ランク方向が異なる、
ＴＤＭＡマルチチャネルネットワーク（２００）のひとつのチャネルの中央ガーディアンの優先順位ベースのアービトレーションの方法。
【請求項４】
複数のサブネットワークと、
データを送信し、受信するように適合され、各サブネットワークを介して、すべてのノードが、他のすべてのノード（４０２−１から４０２−Ｔおよび４１２−１から４１２−Ｒ）と通信するために結合される、複数のノード（４０２−１から４０２−Ｔおよび４１２−１から４１２−Ｒ）と、
を含み、
サブネットワークごとに、各ノードが一意の優先順位ランクを割り当てられ、
前記複数のノード（４０２−１から４０２−Ｔおよび４１２−１から４１２−Ｒ）の１つの勝つノードが、少なくとも１つのサブネットワークに関する最高優先順位ランクを有するものとして識別され、タイムスロット中に送信することを許可され、
サブネットワークごとに、前記複数のノード（４０２−１から４０２−Ｔおよび４１２−１から４１２−Ｒ）が、異なる優先順位方向でランクを与えられ、
前記複数のノード（４０２−１から４０２−Ｔおよび４１２−１から４１２−Ｒ）の各ノードが、１つまたは複数のハブ（４０４−１から４０４−Ｘおよび４１４−１から４１４−Ｘ）の少なくとも１つのハブに結合され、１つまたは複数のハブ（４０４−１から４０４−Ｘおよび４１４−１から４１４−Ｘ）が、互いに通信するように適合される、１つまたは複数のハブ（４０４−１から４０４−Ｘおよび４１４−１から４１４−Ｘ）と、
１つまたは複数のガーディアン（４０３−１から４０３−Ｘおよび４１３−１から４１３−Ｘ）の各ガーディアンが、前記１つまたは複数のハブ（４０４−１から４０４−Ｘおよび４１４−１から４１４−Ｘ）の１つのハブに関連し、１つまたは複数のガーディアン（４０３−１から４０３−Ｘおよび４１３−１から４１３−Ｘ）が、前記複数のノード（４０２−１から４０２−Ｔおよび４１２−１から４１２−Ｒ）のうちで最高優先順位ランクを有する前記ひとつの勝つノードだけが前記タイムスロット中に前記サブネットワークを介して送信することを許可する、１つまたは複数のガーディアン（４０３−１から４０３−Ｘおよび４１３−１から４１３−Ｘ）と、をさらに含み、
前記複数のノード（４０２−１から４０２−Ｔおよび４１２−１から４１２−Ｒ）の各ノードは、送信を意図するときプリアンブル信号を送信し、
前記ひとつまたは複数のガーディアン（４０３−１から４０３−Ｘおよび４１３−１から４１３−Ｘ）の各ガーディアンは、第１のノードからの第１のプリアンブル信号（５２５）の受信を観察するように適合され、
前記ひとつまたは複数のガーディアン（４０３−１から４０３−Ｘおよび４１３−１から４１３−Ｘ）の第１のガーディアンが、事前定義の時間間隔内に第２のノード（５２８）からの第２のプリアンブル信号（５２６）の受信を観察するとき、前記第１のガーディアンが、前記第１のノードまたは前記第２のノードのうち１つだけが関連するサブネットワークを介して送信することを許可し、前記第１のガーディアンは、前記第１のノードが前記第２のノードより高い優先順位ランクを有する場合に前記第１のノードが送信することを許可し、前記第１のガーディアンは、前記第２のノードが前記第１のノードより高い優先順位ランクを有する場合に前記第２のノードが送信することを許可し、
前記第１のガーディアンが、前記事前定義の時間間隔内に第２のプリアンブル信号（５２８）の受信を観察しない時に、前記第１のガーディアンは、前記第１のノードが関連するチャネルを介して送信することを許可する、
ネットワーク。